(57)【要約】      （修正有）【課題】先端を巻き取り用の巻き心に係止するための専用の係止手段を備えたダストサンプラ用のろ紙を提供する。【解決手段】長尺のろ紙テープ本体１が、巻き心上に多層に巻かれ、ろ紙ロールを形成する。ろ紙テープ本体１の先端には、係止部材４が貼着される。係止部材４は、基材フィルム７の一面に粘着剤層８が形成された粘着テープ５と、それに貼着された剥離紙６とを具備する。粘着テープ５は、一端側において、ろ紙テープ本体１の先端部に貼着され、他端側が、ろ紙テープ本体１の先端から延出する。延出部には、一部の粘着剤層８を露出させて残余部に剥離紙６が貼着される。露出した着剤層８が、ろ紙テープ本体１の下層の表面に貼着され、ろ紙テープ本体１の先端部がろ紙ロールに係止される。使用時には、剥離紙６が剥がされ、粘着テープ５が巻き取り用の巻き心に貼着され、ろ紙テープ本体１の先端を巻き心に係止できる。【選択図】図４
0003172132.tif 000002
【実用新案登録請求の範囲】
【請求項１】
巻き心上に多層に巻かれてろ紙ロールを形成する長尺のろ紙テープであって、ろ紙テープ本体の先端に係止部材が貼着されてなり、
当該係止部材は、基材フィルムの一面に粘着剤層が形成された粘着テープと、この粘着テープの一部に剥離可能に貼着された剥離紙とを具備し、
前記粘着テープは、一端側においてろ紙テープ本体の先端部に粘着剤層を介して貼着され、他端側がろ紙テープ本体の先端から延出し、当該延出部には、ろ紙テープ本体の先端寄りの一部粘着剤層を露出させて残余部に剥離紙が貼着され、当該粘着剤層の露出部がろ紙テープ本体の下層の表面に貼着されることにより、ろ紙テープ本体の先端部がロールに係止され、ダストサンプラへの装着時に剥離紙が剥がされ巻き取り用の巻き心に貼着係止可能に構成されることを特徴とするダストサンプラ用ろ紙テープ。
【請求項２】
前記係止部材の表面に、商標表示部が設けられることを特徴とする請求項１に記載のダストサンプラ用ろ紙テープ。
【請求項３】
前記係止部材の表面に、記録記入スペースが設けられることを特徴とする請求項１に記載のダストサンプラ用ろ紙テープ。
【考案の詳細な説明】
【技術分野】
【０００１】
この考案は、空気汚染のモニタリング等を目的とするダストサンプラにおいて、空気流通路を横断するように配置され、空気中の塵埃をサンプルとして吸着させるために用いられるろ紙に関する。
【背景技術】
【０００２】
原子力発電所、原子燃料取扱施設、病院等の放射性物質取扱施設においては、作業者の放射線被爆の監視をするため、又は施設内外での放射性物質の漏洩の監視をするため、放射線モニタ用のダストサンプラがいられている。ダストサンプラは大気汚染の公害計測等にも用いられている。このようなダストサンプラにおいては、空気中の塵埃を捕捉するため、ろ紙が装着される。サンプリングしたエアーがろ紙を通過することにより、含有する塵埃がろ紙に捕捉される。このようなろ紙として、連続的に集塵するための長尺ろ紙が用いられる。従来の長尺ろ紙は、セルロースやガラス繊維等からなるテープ状のもので、巻き心に巻かれている（例えば特許文献１の図１５参照）。
長尺ろ紙を用いたダストサンプラの構成図を図５に示す。このダストサンプラは、β線透過法を用いてダストの質量濃度を求めるもので、ろ紙にダストを捕集し、ダスト捕集前後のβ線透過量から捕集したダスト量を求める。図６において、ダストサンプラは、ろ紙送りドラム４１、巻取りドラム４２、吸気ノズル４３、β線源４４、検出器４５、巻き枠カバー４６を有する。ろ紙ロール４７は、巻き心４８に所要長さのろ紙テープ４９を巻いてなる。ろ紙送りドラム４１に装着されたろ紙ロール４７から引き出されたろ紙テープ４９は、β線源４４と検出器４５との間及び吸気ノズル４３とその下方にある図示しない吸気口との間を通って、巻取りドラム４２に装着された巻き心５０に間歇的に巻き取られる。
この装置は、１時間サイクルで動作するように制御され、例えば、サイクルの初めの数秒間に、ろ紙テープ４９の未使用の新しいスポットがβ線源４４と検出器４５との間に配置される。次いで、検出器４５が、ろ紙テープ４９の当該新スポットを通してβ線粒子を例えば８秒間カウントして停止する。次いで、数秒間に、ろ紙テープ４９が送られ、同スポットがノズル４３の直下に配置される。次いで、ノズル４３がろ紙テープ４７上に下降すると真空ポンプが始動し、塵埃を含んだ定量の外気が、ろ紙テープ４７を通して、例えば４２分間引き込まれ、ポンプが停止する。この間に、外気中の塵埃が、ろ紙テープ４７の同スポットに捕捉される。次いで、数秒間に、ノズル４３が上がり、ろ紙テープ４７が逆送りされ、塵埃を捕捉した汚染スポットがβ線源４４と検出器４５との間に配置される。次いで、検出器４５が、ろ紙の汚染スポットを通してβ線粒子を例えば８秒間カウントし、新スポットと汚染スポットのカウントデータを比較して、サンプル外気１ｍ３当たりの集積粒子の総量をミリグラム又はマイクログラム単位で算出する。装置は残存時間待機し、次の１時間サイクルの最初に、計測したデータを記録し、ろ紙テープ４７の新スポットをβ線源４４と検出器４５との間に配置し、次のサイクルをスタートする。ろ紙ロール４６には、例えば２４時間分の使用に必要な長さのろ紙テープ４７が巻かれている。
ところで、ろ紙ロール４６を装置に装着するときに、ろ紙テープ４７の先端をロール４６から引き出し、巻き取り用の巻き心５０に係止する必要がある。従来は、ろ紙テープ４７の先端を市販の粘着テープで巻き心５０に接着している。
【先行技術文献】
【特許文献】
【０００３】
【特許文献１】特開平９−２３００５６号公報
【考案の概要】
【考案が解決しようとする課題】
【０００４】
上記従来のろ紙テープ４７においては、先端を巻き取り用の巻き心に係止するための専用の係止手段が講じられていないため、係止作業に手間取るという問題点がある。
したがって、この出願に係る考案は、先端を巻き取り用の巻き心に係止するための専用の係止手段を備えたダストサンプラ用のろ紙を提供することを目的としている。
【課題を解決するための手段】
【０００５】
以下、添付図面の符号を参照して説明するが、本考案はこれに限定されるものではない。
上記課題を解決するための、この出願に係る考案のろ紙テープは、巻き心２上に多層に巻かれてろ紙ロール３を形成する長尺のろ紙テープ本体１を具備する。ろ紙テープ本体１の先端には、係止部材４が貼着される。係止部材４は、基材フィルム７の一面に粘着剤層８が形成された粘着テープ５と、この粘着テープ５の一部に剥離可能に貼着された剥離紙６とを具備する。粘着テープ５は、一端側において、ろ紙テープ本体１の先端部に粘着剤層８を介して貼着され、他端側が、ろ紙テープ本体１の先端から延出する。当該延出部には、ろ紙テープ本体の先端寄りの一部の粘着剤層８を露出させて残余部に剥離紙６が貼着される。露出した着剤層８が、ろ紙テープ本体１の下層の表面に貼着され、それによって、ろ紙テープ本体１の先端部がろ紙ロール３に係止される。ダストサンプラへの装着時には、剥離紙６が剥がされ、巻き取り用の巻き心に貼着され、それによって、ろ紙テープ本体１の先端を巻き心に係止可能である。
係止部材４の表面には、商標表示部９や、日付等、所要の記録を記入するスペース１０を設けることができる。
【考案の効果】
【０００６】
この出願に係る考案のろ紙テープによれば、使用前の状態において、粘着テープで先端部がロール上に係止されるので、パッケージを開いたときに、ろ紙テープの先端側がロールからほぐれることがなく、取り扱いが容易である。先端部を引き出す際には、粘着テープの先端側の剥離紙貼着部を摘んでロールから引き剥がせばよく、取り扱いに便利である。剥離紙を剥がして、粘着テープの先端部を巻き取り用の巻き心に貼着するだけで、ろ紙テープの先端部を容易に巻き心に係止できる。
【図面の簡単な説明】
【０００７】
【図１】本考案に係るろ紙テープの正面図である。
【図２】図１のろ紙テープの平面図である。
【図３】図１のろ紙テープの先端部の拡大図である。
【図４】図１のろ紙テープの先端部の拡大断面図である。
【図５】ダストサンプラの構成図である。
【考案を実施するための形態】
【０００８】
図面を参照してこの考案の実施の形態を説明する。
図１に示すように、長尺のろ紙テープ本体１は、巻き心２上に多層に巻かれてろ紙ロール３を形成する。ろ紙テープ本体１の先端部には、係止部材４が貼着される。
【０００９】
図４に示すように、係止部材４は、粘着テープ５と、この粘着テープの一部に剥離可能に貼着された剥離紙６とを具備する。粘着テープ５は、基材フィルム７の一面に粘着剤層８が形成されてなる。
【００１０】
粘着テープ５は、一端側において、ろ紙テープ本体１の先端部に粘着剤層８を介して貼着され、他端側がろ紙テープ本体１の先端から延出する。当該延出部には、ろ紙テープ本体の先端寄りの一部の粘着剤層８を露出させて残余部に剥離紙６が貼着される。剥離紙６に被覆されていない粘着剤層８の露出部が、ろ紙テープ剥離紙６の下層の表面に貼着される。これにより、ろ紙テープ本体１の先端部がロール３に係止される。
【００１１】
剥離紙６は、ダストサンプラへの装着時に、粘着テープ５から剥がされる。これにより、粘着テープ５の先端部を巻き取り用の巻き心に貼着して係止することができる。
【００１２】
係止部材４の表面には、商標表示部９や装着日付など、適宜必要な記録を記入するスペース１０を設けることができる。
【符号の説明】
【００１３】
１    ろ紙テープ本体
２    巻き心
３    ろ紙ロール
４    係止部材
５    粘着テープ
６    剥離紙
７    基材フィルム
８    粘着剤層
９    商標表示部
１０  記録記入スペース
【図１】
0003172132.tif 000003
【図２】
0003172132.tif 000004
【図３】
0003172132.tif 000005
【図４】
0003172132.tif 000006
【図５】
0003172132.tif 000007
【手続補正書】
【提出日】平成23年9月30日(2011.9.30)
【手続補正１】
【補正対象書類名】図面
【補正対象項目名】図３
【補正方法】変更
【補正の内容】
【図３】
0003172132.tif 000008